【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
発泡性組成物であって、
アルコール組成物全体の質量基準で、少なくとも約４０質量％のＣ1-4アルコール；及び
一般式
【化２】
2008223021.tif 000001
（ここで、Ｒは、独立して、親油性鎖であり、及びｍ及びｎは、独立して、１−約500の整数である）で表されるジェミニ界面活性剤からなる群から選ばれる発泡性界面活性剤
を含んでなる、発泡性組成物。
【請求項２】
さらに、フルオロ界面活性剤及びシロキサンポリマー界面活性剤から選ばれる補助発泡界面活性剤を含んでなる、請求項１記載の発泡性組成物。
【請求項３】
さらに、ジエステルを含み、前記ジエステルに対するジェミニ界面活性剤の量が、質量％基準で、約０.６：１−約１.７：１である、請求項１又は２記載の組成物。
【請求項４】
さらに、カプリックアルコール、ラウリックアルコール、オーロレイックアルコール、ミリスチックアルコール、ミリストレイックアルコール、パルミチックアルコール、パミトレイックアルコール、ステアリックアルコール、オレイックアルコール、リノレイックアルコール、リノレニックアルコール、アラキディックアルコール、ガドレイックアルコール、ベヘニックアルコール、エルシックアルコール、クルパノジニックアルコール、リグノセリックアルコール、セロティックアルコール、モンタニックアルコール、ミリシックアルコール、ラクセロイックアルコール、ゲディックアルコール、又はその混合物の少なくとも１つを含んでなる、請求項１−３のいずれかに記載の組成物。
【請求項５】
ジエステルが、ナトリウムステアロイルラクチレート、ナトリウムベヘノキシラクチレート、ナトリウムオレイルラクチレート、ナトリウムココイルラクチレート、ナトリウムカプロリルラクチレート、ラウロイルラクチル酸、ミリストイルラクチル酸、トリエタノールアミンステアロイルラクチレート、トリエタノールアミンベヘイルラクチレート、トリエタノールアミンオレイルラクチレート、トリエタノールアミンココイルラクチレート、トリエタノールアミンカプロイルラクチレート、ジエタノールアミンステアロイルラクチレート、ジエタノールアミンベヘイルラクチレート、ジエタノールアミンオレイルラクチレート、ジエタノールアミンココイルラクチレート、ジエタノールアミンカプロイルラクチレート、カリウムステアロイルラクチレート、カリウムベヘイルラクチレート、カリウムオレイルラクチレート、カリウムココイルラクチレート、カリウムカプロイルラクチレート、カルシウムステアロイルラクチレート、カルシウムベヘイルラクチレート、カルシウムオレイルラクチレート、カルシウムココイルラクチレート、カルシウムカプロイルラクチレート、アンモニウムステアロイルラクチレート、アンモニウムベヘイルラクチレート、アンモニウムオレイルラクチレート、アンモニウムココイルラクチレート、及びアンモニウムカプロイルラクチレートの少なくとも１つを含んでなる、請求項３又は４記載の組成物。
【請求項６】
さらに、ジメチコーンPEG-7スルフェート、ナトリウムPEG-4コカミドスルフェート、ナトリウムPEG-4ラウラミドスルフェート、ナトリウムココモノグリセリドスルフェート、ナトリウムステアロイルコンドロイチンスルフェート、ナトリウムラウリルラクチレート、硫酸化グリセリルオレエートの少なくとも１つを含んでなる、請求項１−５のいずれかに記載の組成物。
【請求項７】
さらに、カチオン性オリゴマー又はポリマー、コラーゲンアミノ酸、アマランスタンパク質、又は可溶性カゼインを含んでなるフォームブースターを含んでなる、請求項１−６のいずれかに記載の組成物。
【請求項８】
発泡界面活性剤：フォームブースターの質量比が約３.５：１−約14.5：１である、請求項７記載の組成物。
【請求項９】
組成物全体の質量基準で、発泡界面活性剤約0.05−約４０質量％を含有する、請求項１−８のいずれかに記載の組成物。
【請求項１０】
さらに、ポリソルベート-20、ポリソルベート-21、ポリソルベート-40、ポリソルベート-60、ポリソルベート-61、ポリソルベート-65、ポリソルベート-80、ポリソルベート-81、及びポリソルベート-85からなる群から選ばれる少なくとも１の補助剤を含んでなる、請求項１−９のいずれかに記載の組成物。
【請求項１１】
ジェミニ界面活性剤が、二ナトリウムエチレンジコカミドPEG-15ジスルフェートを含んでなるものである、請求項１−１０のいずれかに記載の組成物。
【請求項１２】
アルコールフォームを形成する方法であって、
Ｃ1-4アルコール、一般式
【化２】
2008223021.tif 000002
（ここで、Ｒは、独立して、親油性鎖であり、及びｍ及びｎは、独立して、１−約500の整数である）で表されるジェミニ界面活性剤からなる群から選ばれる発泡性界面活性剤を組み合せて、発泡性アルコール組成物を形成し；
前記アルコール組成物及び空気又は不活性ガスを混合チャンバーで混合して、混合物を形成し；及び
前記混合物を、メッシュスクリーンを通過させて、フォームを形成する
ことを包含してなり、前記発泡性アルコール組成物は、アルコール組成物全体の質量基準で、少なくとも約４０質量％のアルコールを含んでなるものであることを特徴とする、アルコールフォームの形成法。
【請求項１３】
発泡性組成物が、さらに、フルオロ界面活性剤及びシロキサンポリマー界面活性剤から選ばれる補助発泡界面活性剤を含んでなるものである、請求項１２記載の方法。
【請求項１４】
発泡性組成物が、さらに、ジエステルを含むものであり、前記ジエステルに対するジェミニ界面活性剤の量が、質量％基準で、約０.６：１−約１.７：１である、請求項１２又は１３記載の方法。
【請求項１５】
発泡性組成物が、さらに、カプリックアルコール、ラウリックアルコール、オーロレイックアルコール、ミリスチックアルコール、ミリストレイックアルコール、パルミチックアルコール、パミトレイックアルコール、ステアリックアルコール、オレイックアルコール、リノレイックアルコール、リノレニックアルコール、アラキディックアルコール、ガドレイックアルコール、ベヘニックアルコール、エルシックアルコール、クルパノジニックアルコール、リグノセリックアルコール、セロティックアルコール、モンタニックアルコール、ミリシックアルコール、ラクセロイックアルコール、ゲディックアルコール、又はその混合物の少なくとも１つを含むものである、請求項１２−１４のいずれかに記載の方法。
【請求項１６】
ジエステルが、ナトリウムステアロイルラクチレート、ナトリウムベヘノキシラクチレート、ナトリウムオレイルラクチレート、ナトリウムココイルラクチレート、ナトリウムカプロリルラクチレート、ラウロイルラクチル酸、ミリストイルラクチル酸、トリエタノールアミンステアロイルラクチレート、トリエタノールアミンベヘイルラクチレート、トリエタノールアミンオレイルラクチレート、トリエタノールアミンココイルラクチレート、トリエタノールアミンカプロイルラクチレート、ジエタノールアミンステアロイルラクチレート、ジエタノールアミンベヘイルラクチレート、ジエタノールアミンオレイルラクチレート、ジエタノールアミンココイルラクチレート、ジエタノールアミンカプロイルラクチレート、カリウムステアロイルラクチレート、カリウムベヘイルラクチレート、カリウムオレイルラクチレート、カリウムココイルラクチレート、カリウムカプロイルラクチレート、カルシウムステアロイルラクチレート、カルシウムベヘイルラクチレート、カルシウムオレイルラクチレート、カルシウムココイルラクチレート、カルシウムカプロイルラクチレート、アンモニウムステアロイルラクチレート、アンモニウムベヘイルラクチレート、アンモニウムオレイルラクチレート、アンモニウムココイルラクチレート、及びアンモニウムカプロイルラクチレートの少なくとも１つを含むものである、請求項１２−１５のいずれかに記載の方法。
【請求項１７】
発泡性組成物が、さらに、ジメチコーンPEG-7スルフェート、ナトリウムPEG-4コカミドスルフェート、ナトリウムPEG-4ラウラミドスルフェート、ナトリウムココモノグリセリドスルフェート、ナトリウムステアロイルコンドロイチンスルフェート、ナトリウムラウリルラクチレート、硫酸化グリセリルオレエートの少なくとも１つを含むものである、請求項１２−１６のいずれかに記載の方法。
【請求項１８】
組成物が、さらに、カチオン性オリゴマー又はポリマー、コラーゲンアミノ酸、アマランスタンパク質、又は可溶性カゼインを含んでなるフォームブースターを含んでなるものである、請求項１２−１７のいずれかに記載の方法。
【請求項１９】
発泡界面活性剤：フォームブースターの質量比が約３.５：１−約14.5：１である、請求項１２−１８のいずれかに記載の方法。
【請求項２０】
組成物が、組成物全体の質量基準で、発泡界面活性剤約0.05−約４０質量％を含有するものである、請求項１２−１９のいずれかに記載の方法。